(57)【要約】【課題】  本発明は収納する高さを調節でき、開放された空間としての収納部とともに、必要に応じて箱状の引き出し部を作ることができる小物収納具を提供する。【解決手段】  上面が開口したケース本体と、ケース本体の少なくとも一箇所に設けられた側面開口部よりケース本体内部に自在に挿入できる上面が開口した箱と、側面開口部よりケース本体に挿入された箱の上部に側面開口部より自在に挿入可能な板状あるいは上面が開口した箱状の深さ調整具と、深さ調整具の収納部を本体ケースに有していることを特徴とする収納具。【選択図】図１
2008307351.tif 000002
【特許請求の範囲】
【請求項１】
上面が開口したケース本体と、ケース本体の少なくとも一箇所に設けられた側面開口部よりケース本体内部に自在に挿入できる上面が開口した箱と、側面開口部よりケース本体に挿入された箱の上部に側面開口部より自在に挿入可能な板状あるいは上面が開口した箱状の深さ調整具と、深さ調整具の収納部を本体ケースに有していることを特徴とする収納具。
【発明の詳細な説明】
【技術分野】
【０００１】  本発明は収納する高さを調節でき、開放された空間としての収納部とともに、必要に応じて箱状の引き出し部を作ることができる小物収納具に関するものである。
【背景技術】
【０００２】  収納の高さを調節するにあたり、上面の開口した本体ケースの側面の開口部に、上面の開口した箱状の挿入パーツを、パーツの底板を上方にしたり下方にして、挿入パーツを上下反転させて挿入するものがあった。
【発明の開示】
【発明が解決しようとする課題】
【０００３】  そのために、箱状の挿入パーツを上下反転させて、底板を上方にして本体ケースに挿入した場合、挿入パーツの内部に何も収納できない無駄な空間が相当量できた。
本発明はこの問題を解決するためになされたものである。
【課題を解決するための手段】
【０００４】  上面が開口したケース本体と、ケース本体の少なくとも一箇所に設けられた側面開口部よりケース本体内部に自在に挿入できる上面が開口した箱と、側面開口部よりケース本体に挿入された箱の上部に側面開口部より自在に挿入可能な板状あるいは上面が開口した箱状の深さ調整具と、深さ調整具の収納部を本体ケースに有していることを特徴とする収納具。
【発明の効果】
【０００５】  使用者の都合に合わせて、収納部の高さを変更できるだけでなく、必要に応じて内部に引き出しを作ることができ、スタンドタイプの収納部の高さと数と位置、また引き出しの数、位置を多様なパターンで変更できるようになった。そのため、背の高いものから、小粒なもの、転がり易いものなど多様な形のものを、その分量に合わせ、仕分けして収納することができる。
投げ込み収納では他のものにまぎれて見失ってしまいそうなものも、細やかな収納部の設定で、見つけ易く取り出し易く収納することができるようになった。
一方、高さの低いパーツを採用することにより、収納できない無駄な空間を小さくすることができた。
【発明を実施するための最良の形態】
【０００６】  以下、本発明の形態について図１から図２３を用いて説明する。
図１はは本発明の分解斜視図、図２は本発明の断面図、図３、図４は本発明の外観図、図５から図１２は本発明の断面図である。図１３はパーツの外観図である。
図１４から図２３は本発明の第二実施形態を表している。
図１４は本発明の第二実施形態の分解斜視図、図１５は本発明の第二実施形態の内部を透視した外観図、図１６は本発明の第二実施形態の外観図、図１７、図１８、図１９は本発明の第二実施形態の長辺側から見た断面図、図２０は本発明の第二実施形態の外観図、図２１は箱型パーツの外観図、図２２は本発明の第二実施形態の外観図、図２３は本発明の第二実施形態の長辺側から見た断面図である。
本発明は本体ケースと本体ケースに挿入して使用する箱型、深枠型、盆型、枠型の４種類の形状のパーツとから構成されている。
図における事例において、本体ケース（１）は上面の開口した箱状となっており、底板（２）の周縁位置に４つの壁部板（３ａ、３ｂ、３ｃ、３ｄ）が一体に構成されている。本体ケース（１）の内部には２枚の仕切り板（４ａ、４ｂ）が設けられ、内部空間は等分され、３つの収納部（１２ａ、１２ｂ、１２ｃ）を構成している。なお、内部空間は等分でなくても問題ない。【０００７】  収納部（１２ａ）の壁部板（３ｄ）には、底板（２）の位置から上方に、長方形の側面開口部（５ａ）が設けられ、対面の壁部板（３ｂ）には、底板（２）の位置から上方に、側面開口部（５ａ）と同形の側面開口部（５ｄ）が設けられている。収納部（１２ｂ）の壁部板（３ｄ）には、底板（２）の位置から上方に、長方形の側面開口部（５ｂ）が設けられ、対面の壁部板（３ｂ）には、底板（２）の位置から上方に、側面開口部（５ｂ）と同形の側面開口部（５ｅ）が設けられている。収納部（１２ｃ）の壁部板（３ｄ）には、底板（２）の位置から上方に、長方形の側面開口部（５ｃ）が設けられ、対面の壁部板（３ｂ）には、底板（２）の位置から上方に、側面開口部（５ｃ）と同形の側面開口部（５ｆ）が設けられている。
側面開口部（５ａ、５ｄ）と、側面開口部（５ｂ、５ｅ）は同形である。側面開口部（５ａ、５ｂ、５ｄ、５ｅ）は側面開口部（５ｃ、５ｆ）と横幅は同じであるが、高さは側面開口部（５ｃ、５ｆ）の方が高くなっている。【０００８】  本発明は、側面開口部（５）から挿入する３つの箱型パーツ（６）と、１つの深枠型パーツ（７）と、３つの盆型パーツ（８）、４つの枠型パーツ（９）を具備する。
箱型パーツ（６）は、収納部（１２）の底部形状とほぼ同形の底面を有し、上面が開口した箱状である。深枠型パーツ（７）は、外形が箱型パーツ（６）と同形で、かつ上面と下面が開口され側面のみで構成されている。盆型パーツ（８）は、上面が開口した箱状で、収納部（１２）の底部形状とほぼ同形の底面を有し、側面の高さは箱型パーツ（６）より低くなっている。枠型パーツ（９）は、外形が盆型パーツ（８）と同形で、かつ上面と下面が開放され側面のみで構成されている。
側面開口部（５ａ，５ｂ、５ｄ，５ｅ）の高さは、箱型パーツ（６）の高さ１つ分と、盆型パーツ（８）の高さ２つ分の合計である。側面開口部（５ｃ、５ｆ）の高さは、箱型パーツ（６）の高さ２つ分と、盆型パーツ（８）の高さ３つ分の合計である。【０００９】  各パーツの長辺側の外側面の上位置には、一対の凸状の筋が水平に設けられており、スライダー（１０ａ、１０ｂ、１０ｃ、１０ｄ、１０ｅ、１０ｆ、１０ｇ、１０ｈ、１０ｉ、１０ｊ、１０ｋ）となっている。スライダー（１０ａ、１０ｂ、１０ｃ、１０ｄ）は同形である。スライダー（１０ｅ、１０ｆ、１０ｇ、１０ｈ、１０ｉ、１０ｊ、１０ｋ）は同形である。【００１０】  各収納部（１２ａ、１２ｂ、１２ｃ）の内壁となっている仕切り板（４ａ、４ｂ）と壁部板（３ａ、３ｃ）の下部には収納部（１２）ごとに、水平な溝が対面に、対で設けられ、各パーツのスライダー（１０）を受けるための、スライダー受け（１１ａ、１１ｂ、１１ｃ、１１ｄ、１１ｅ、１１ｆ、１１ｇ、１１ｈ、１１ｉ、１１ｊ、１１ｋ）となっている。収納部（１２ａ、１２ｂ）には３対、収納部（１２ｃ）には５対設けられている。
スライダー受け（１１ａ、１１ｂ、１１ｃ、１１ｄ）は同形で、スライダー（１０ａ、１０ｂ、１０ｃ、１０ｄ）を受けて、箱型パーツ（６ａ、６ｂ、６ｃ）または深枠型パーツ（７）を支持できるようになっている。
スライダー受け（１１ｅ、１１ｆ、１１ｇ、１１ｈ、１１ｉ、１１ｊ、１１ｋ）は、同形で、スライダー（１０ｅ、１０ｆ、１０ｇ、１０ｈ、１０ｉ、１０ｊ、１０ｋ）を受けて、盆型パーツ（８ａ、８ｂ、８ｃ）または、枠型パーツ（９ａ、９ｂ、９ｃ、９ｄ）を支持できるようになっている。【００１１】  次に、スライダー受け（１１）の設けられている高さについて説明する。
収納部（１２ａ、１２ｂ、１２ｃ）内の最下位の高さに位置するスライダー受け（１１ｅ、１１ｆ、１１ｇ）は、高さの低い盆型パーツ（８）、または枠型パーツ（９）のための専用のスライダー受け（１１）で、背の低いパーツを本体ケースの底板（２）から隙間無く挿入できるような高さに位置している。それら高さの低いパーツ用のスライダー受け（１１ｅ、１１ｆ、１１ｇ）のすぐ上部には、高さの高い箱型パーツ（６）、または深枠型パーツ（７）のための専用で、下方のパーツとの間に隙間無く挿入できるような高さに、スライダー受け（１１ａ、１１ｂ、１１ｃ）が設けられている。さらに、その上部には、盆型パーツ（８）、または枠型パーツ（９）に対応するように、スライダー受け（１１ｈ、１１ｉ、１１ｊ）が配置されている。
側面開口部（５ａ、５ｂ、５ｄ、５ｅ）に、それぞれ３つのパーツが挿入されると、側面開口部（５ａ、５ｂ、５ｄ、５ｅ）は、ぴったりとパーツで隙間無く塞がれる。
側面開口部（５ｃ、５ｆ）においては、側面開口部（５ａ、５ｂ、５ｄ、５ｅ）と同様の３つのパーツの上に、さらに、高さの高い箱型パーツ（６）、または深枠型パーツ（７）専用のスライダー受け（１１ｄ）と、最上位に、高さの低い盆型パーツ（８）、または枠型パーツ（９）専用のスライダー受け（１１ｋ）が設けられている。合計５個のパーツで側面開口部（５ｃ、５ｆ）はぴったりと隙間無く塞がれる。図４参照。【００１２】  次に各パーツの機能を説明する。
盆型パーツ（８）は、収納部（１２）内部の空間を水平に分割するときに用いられる。本体ケース（１）に挿入されると、盆型パーツ（８）の上部の空間は上面の開口したスタンドタイプの収納空間となり、下方の空間においては、挿入されている箱型パーツ（６）が側面開口部（５）より出し入れできる引き出しとなる。収納部（１２）を分割したくないときは、盆型パーツ（８）は収納部（１２）の最下部に挿入してその機能を封じておく。
箱型パーツ（６）は、枠型パーツ（９）の下方に位置するときは、上面の開口された収納部（１２）の下部でスタンドタイプの収納空間の受け皿状の底となる。また、盆型パーツ（８）の下方に位置するときは、盆型パーツ（８）によって収納部（１２）内が水平に分割され、収納部（１２）の下方で独立した引き出しとなる。【００１３】  枠型パーツ（９）は、収納部（１２）を分割したくないときに、はずした盆型パーツ（８）の変わりに挿入しておくためのものである。本発明においては、各パーツに付いているスライダー（１０）と、収納部（１２）内部に付いているスライダー受け（１１）の機能によって、盆型パーツ（８）と箱型パーツ（６）を正確な位置に挿入できる。そのため、枠型パーツ（９）が無くても、パーツが下方にずり落ちたりはしないが、枠型パーツ（９）が無いと収納部（１２）の内面のスライダー受け（１１）で凹凸が生じ、小物の出し入れの際に、つっかかったりして不都合である。枠型パーツ（９）を挿入することによって、この凹凸を覆うことができる。
深枠型パーツ（７）は、これ自身において区画された収納部を形成するものでは無い。箱型パーツ（６）を配さないとき、代わりに組み入れるためのものもので、枠型パーツ（９）と同様に収納部（１２）の内部に凹凸がないようにする機能がある。
本発明は、以上の構成より成っている。
以下本発明の使用方法を説明する。【００１４】  図３が示すように、本発明において、箱型パーツ（６）、深枠型パーツ（７）、盆型パーツ（８）、枠型パーツ（９）は、複数個が縦に重なった状態で、側面開口部（５）から、本体ケース（１）に挿入できるようになっている。
パーツを本体ケース（１）に挿入するときは、各パーツのスライダー（１０）を、本体ケースの収納部（１２）内部のスライダー受け（１１）に差し込んで挿入する。
引き出すときは、引き出したい方向と反対側の側面開口部（５ｄ、５ｅ、５ｆ）から、指でパーツを押し出す。【００１５】  箱型パーツ（６）と深枠型パーツ（７）の位置を交換したり、盆型パーツ（８）と枠型パーツ（９）を交換することによって、収納部（１２）の高さをかえたり、収納部（１２）の中に引き出しを作って、収納する物の高さや形状に応じた収納空間が作ることができる。
また、盆型パーツ（８）と枠型パーツ（９）の高さを低く設計することで、何も収納できないデッドスペースを小さくすることができる。盆型パーツ（８）と枠型パーツ（９）の高さが低くなればなるほど、デッドスペースが小さくなる。【００１６】  図５から図１０は本発明の収納部（１２）内の各パーツの設定の例である。
図５は本発明の３つの収納部（１２ａ、１２ｂ、１２ｃ）をすべて高い物を収納するための設定している状態を表している。
収納部（１２ａ）には、側面開口部（５ａ）より、下から盆型パーツ（８ａ）、箱型パーツ（６ａ）、枠型パーツ（９ａ）を挿入する。収納部（１２ａ）の空間が、収納部（１２ａ）の上端から箱型パーツ（６ａ）の底板までがひとつの空間になり、高い物の収納に適したスタンドタイプの収納空間になる。
収納部（１２ｂ）も収納部（１２ａ）と同様である。側面開口部（５ｂ）より、下から盆型パーツ（８ｂ）、箱型パーツ（６ｂ）、枠型パーツ（９ｈ）を挿入すると、収納部（１２ｂ）は高いものを収納するのに適した空間になる。
収納部（１２ｃ）には、側面開口部（５ｃ）より、下から盆型パーツ（８ｃ）、箱型パーツ（６ｃ）、枠型パーツ（９ｃ）、深枠型パーツ（７）、最上段には枠型パーツ（９ｄ）を挿入する。収納部（１２ａ）の空間が、収納部（１２ｃ）の上端から箱型パーツ（６ｃ）の底板までがひとつになり、高い物の収納に適した空間になる。【００１７】  図６は高い物を収納する収納部２つと、中ほどの高さの物を収納する収納部１つと、小物を収納できる引き出し１つを作るための設定である。
収納部（１２ａ、１２ｂ）の設定は図５と同様である。収納部（１２ｃ）には、側面開口部（５ｃ）より、下から枠型パーツ（９ｃ）、箱型パーツ（６ｃ）、盆型パーツ（８ｃ）、深枠型パーツ（７）、最上段に枠型パーツ（９ｄ）を挿入する。収納部（１２ｃ）の上端から盆型パーツ（８ｃ）の底板までがひとつの空間になり、中ほどの高さの物を収納するのに適した空間となる。箱型パーツ（６ｃ）は側面開口部（５ｃ）が出し入れ口の引き出しとして使用できる。
図５の設定から、図６の設定への変更作業は、枠型パーツ（９ｃ）と盆型パーツ（８ｃ）を交換することである。【００１８】  図７は高い物を収納する収納部１つと、中ほどの高さの物を収納する収納部２つと、小物を収納できる引き出しを横並びに２つ作るための設定である。
収納部（１２ａ、１２ｃ）の設定は図６と同様である。収納部（１２ｂ）には、側面開口部（５ｂ）より、下から枠型パーツ（９ｂ）、箱型パーツ（６ｂ）、最上段には盆型パーツ（８ｂ）を挿入する。収納部（１２ｂ）の上端から盆型パーツ（８ｂ）の底板までがひとつの空間になり、中ほどの高さの物の収納に適した空間になる。箱型パーツ（６ｂ）は引き出しとして使用できる。
図６の設定から、図７の設定への変更作業は、枠型パーツ（９ｂ）と盆型パーツ（８ｂ）を交換することである。【００１９】  図８は中ほどの高さの物を収納する収納部３つと、小物を収納できる引き出しを横並びに３つ作るための設定である。
収納部（１２ｂ、１２ｃ）の設定は図７と同様である。収納部（１２ａ）には、側面開口部（５ａ）より、下から枠型パーツ（９ａ）、箱型パーツ（６ａ）、最上段には盆型パーツ（８ａ）を挿入する。収納部（１２ａ）の空間が収納部（１２ａ）の上端から盆型パーツ（８ａ）の底板までがひとつの空間になり、中ほどの高さの物の収納に適した空間になる。箱型パーツ（６ａ）は引き出しとして使用できる。
図７の設定から、図８の設定への変更作業は、枠型パーツ（９ａ）と盆型パーツ（８ａ）を交換することである。【００２０】  図９は、高い物を収納する収納部を２つと、低い高さの物を収納する収納部１つと、小物を収納できる引き出しを縦並びに２つ作るための設定である。
収納部（１２ａ）に、側面開口部（５ａ）より、下から枠型パーツ（９ａ）、深枠型パーツ（７）、枠型パーツ（９ｄ）を挿入する。収納部（１２ａ）の空間が、収納部（１２ａ）の上端から本体ケースの底板までがひとつの空間になり、高い物の収納に適した空間になる。
収納部（１２ｂ）には、側面開口部（５ｂ）より、下から順に盆型パーツ（８ｂ）、箱型パーツ（６ｂ）、枠型パーツ（９ｂ）を挿入すると、収納部（１２ｂ）は高い物を収納するのに適した空間になる。
収納部（１２ｃ）には、側面開口部（５ｃ）より、下から枠型パーツ（９ｃ）、箱型パーツ（６ｃ）、盆型パーツ（８ｃ）、箱型パーツ（６ａ）、最上段には盆型パーツ（８ａ）を挿入する。収納部（１２ｃ）の空間が、収納部（１２ｃ）の上端から盆型パーツ（８ａ）の底板までがひとつの空間になり、低い物の収納に適した空間になる。下から４段目と２段目の箱型パーツ（６ａ、６ｃ）は引き出しとして使用する。【００２１】  図１０は、高い物を収納する収納部を１つと、中ほどの高さの物と収納する収納部１つと、低い物を収納する収納部１つと、小物を収納できる引き出しを３つ作るための設定である。
収納部（１２ａ、１２ｃ）の設定は図９の設定と同様である。収納部（１２ｂ）には、側面開口部（５ｂ）より、下から順に、枠型パーツ（９ｂ）、箱型パーツ（６ｂ）、盆型パーツ（８ｂ）を挿入する。収納部（１２ｂ）の上端から盆型パーツ（８ｂ）の底板までがひとつの空間になり、中ほどの高さの物の収納の適した空間になる。箱型パーツ（６ｂ）は引き出しとして使用する。【００２２】  図１１は、盆型パーツ（８ａ）を最上面に収納した実施例を示す、一部を拡大した、本体ケース（１）の長辺側から見た断面図である。本発明において、盆型パーツ（８）が、図１３のような板状パーツ（１４）であっても、本発明の収納具としての機能には変わりは無い。
しかし、本発明をような上面が開口した収納具は、日々埃（１３）を被る。図１２のように盆型パーツ（８ａ）の代わりに板状パーツ（１４）を採用した場合、収納部（１２ａ）に入り込んだ埃（１３）が、板状パーツ（１４）と本体ケース（１）の隙間にさらに入り込んでいく。入り込んだ埃（１３）は、引き出しとして使用している箱型パーツ（６ａ）の出し入れや、設定変更のために行うパーツ類の出し入れの際に大きな摩擦を起こし、不都合である。場合によってはパーツ類が引き抜けなくなる。
盆型パーツ（８）を採用すると、使用者が収納具の掃除をするときまで、日々の埃を盆型パーツ（８）の内側に留めて、本体ケース（１）とパーツ類の間に入り込むのを防ぐことができる。【００２３】  次に、本発明の第二実施形態について図１４から図２３を用いて説明する。
本発明の第二実施形態は、第一実施形態よりも、設定変更作業が簡単になるよう構成されている。図１４で示すように、第一実施形態と構造上で異なる点は、第二実施形態においては、枠型パーツ（９）が一個少なくなり、深枠型パーツ（７）が無くなったことである。
第二実施形態は、本体ケース（１）と、３つの箱型パーツ（６ａ、６ｂ、６ｃ）と、３つの盆型パーツ（８ａ、８ｂ、８ｃ）と、３つの枠型パーツ（９ａ、９ｂ、９ｃ）で構成されている。
基本的には、仕切り板（４ａ、４ｂ）は必ずしも、ケース本体（１）内の空間を等分しなくてもよい。また箱型パーツ（６ａ、６ｂ、６ｃ）のそれぞれの高さは、必ずしも同じでなくてもよい。盆型パーツ（８ａ、８ｂ、８ｃ）それぞれの高さも、必ずしも同じでなくてもよい。枠型パーツ（９ａ、９ｂ、９ｃ）も同様に同じでなくてもよい。
しかし、盆型パーツ（８ａ）と枠型パーツ（９ａ）の外形は同じでなければならない。また、盆型パーツ（８ｂ）と枠型パーツ（９ｂ）の外形も同じでなければならない。盆型パーツ（８ｃ）と枠型パーツ（９ｃ）の外形も同じでなければならない。【００２４】  本体ケース（１）の側面開口部（５ａ）の高さは、盆型パーツ（８ａ）の高さと、箱型パーツ（６ａ）の高さと、枠型パーツ（９ａ）の高さの合計である。側面開口部（５ｂ）の高さは、盆型パーツ（８ｂ）の高さと、箱型パーツ（６ｂ）の高さと、枠型パーツ（９ｂ）の高さの合計である。また、側面開口部（５ｃ）の高さは、盆型パーツ（８ｃ）の高さと、箱型パーツ（６ｃ）の高さと、枠型パーツ（９ｃ）の高さの合計である。
また、盆型パーツ（８）、箱型パーツ（６）、枠型パーツ（９）は種類ごとに、装飾、または任意の色に着色されており、特に盆型パーツ（８）は目立つ仕様なっている。図１６は、盆型パーツ（８）の濃い色の着色によって、盆型パーツ（８）の挿入されている位置が外観からも良くわかる様子を示したものである。【００２５】  図１５に示すように、各収納部（１２）には、それぞれひとつの開口部に、箱型パーツ（６）を中段にして、枠型パーツ（９）と盆型パーツ（８）が上方と下方に一個ずつ挿入される。
第二実施形態においては、収納部の設定変更の操作は、各収納部（１２）の中で、盆型パーツ（８）と枠型パーツ（９）の位置を交換することだけである。箱型パーツ（６）は移動させることは無い。【００２６】  図１４から図２３に示した例は、第二実施形態の中では、製作時のコストを減すために、パーツの種類を少なくしつつ、使用時の収納空間の多様性を最も具現した形である。
仕切り板（４ａ、４ｂ）は本体ケース（１）内の空間を等分している。盆型パーツ（８ａ、８ｂ、８ｃ）は同形で、枠型パーツ（９ａ、９ｂ、９ｃ）は同形で、盆型パーツ（８）と枠型パーツ（９）の外形は同じである。箱型パーツ（６ａ、６ｂ）は同形で、箱型パーツ（６ｃ）は箱型パーツ（６ａ、６ｂ）より側面の高さが高くなっている。【００２７】  図１７から図１９は、第二実施形態の設定の例である。
図１７の場合、収納部（１２ａ、１２ｂ、１２ｃ）がすべて高い物の収納に適している。収納部（１２ａ）には、側面開口部（５ａ）より、下段に盆型パーツ（８ａ）、中段には箱型パーツ（６ａ）、上段に枠型パーツ（９ａ）が挿入されている。収納部（１２ｂ）には、側面開口部（５ｂ）より、下段に盆型パーツ（８ｂ）、中段には箱型パーツ（６ｂ）、上段に枠型パーツ（９ｂ）が挿入されている。収納部（１２ｃ）には、側面開口部（５ｃ）より、下段に盆型パーツ（８ｃ）、中段に箱型パーツ（６ｃ）、上段には枠型パーツ（９ｃ）が挿入されている。この設定によって、各収納部（１２ａ、１２ｂ、１２ｃ）がそれぞれひとりの収納空間になる。【００２８】  図１８は中ほどの高さの物を収納する収納部２つ、低い物を収納する収納部１つ、浅い引き出し２つ、深い引き出し１つを作る設定である。
収納部（１２ａ）には、下段に枠型パーツ（９ａ）、中段には箱型パーツ（６ａ）、上段に盆型パーツ（８ａ）が挿入されている、収納部（１２ｂ）には、下段に枠型パーツ（９ｂ）、中段には箱型パーツ（６ｂ）、上段に盆型パーツ（８ｂ）が挿入されている。収納部（１２ｃ）には、下段に枠型パーツ（９ｃ）、中段に箱型パーツ（６ｃ）、上段には盆型パーーツ（８ｃ）が挿入されている。この設定ではそれぞれの収納部（１２ａ、１２ｂ、１２ｃ）内の収納空間をを盆型パーツ（８ａ、８ｂ、８ｃ）で上下に分割し、上部をスタンドタイプの収納、下部を引き出しにしている。
図１７の設定から、図１８の設定変更作業は、それぞれの側面開口部（５ａ、５ｂ。５ｃ）のなかで、盆型パーツ（８）と枠型パーツ（９）を交換することである。【００２９】  図１９は、高い物を収納する収納部１つ、中ほどの高さの物を収納する収納する収納部１つ、低い物を収納する収納部１つ、浅い引き出し一つ、深い引き出しを１つ作る設定である。この設定は第二実施形態の中では、最も収納空間が多様である。
収納部（１２ａ）には、側面開口部（５ａ）より、下段に盆型パーツ（８ａ）、中段には箱型パーツ（６ａ）、上段に枠型パーツ（９ａ）が挿入されている。収納部（１２ｂ）には、下段に枠型パーツ（９ｂ）、中段には箱型パーツ（６ｂ）、上段に盆型パーツ（８ｂ）が挿入されている。収納部（１２ｃ）には、下段に枠型パーツ（９ｃ）、中段に箱型パーツ（６ｃ）、上段には盆型パーツ（８ｃ）が挿入されている。
この設定の状態の外観は図２０のようになる。
さらに、図１６にも示すように、盆型パーツ（８）を特に目立つ色に着色することで、引き出しになっているところと、その上部のスタンド状になっている収納部（１２）との境目がわかりやすくなっている。設定変更のときも枠型パーツ（９）との見分けがつきやすい。【００３０】  また、設定の状況を、外観で把握できるようにするもうひとつの方法として、図２１、図２２のように、設定に応じて、箱型パーツ（６）に着脱可能な引き手か、回動する引き手をつける方法がある。回動する引き手は、箱型パーツ（６）のスライダー（１０）が付いていない側面の外側と、引き手が接する部分を軸にして、引き手が回動するするものである。
図２２の収納部（１２ｂ、１２ｃ）のように、箱型パーツ（６ｂ、６ｃ）の上に盆型パーツ（８ｂ、８ｃ）があって、箱型パーツ（６ｂ、６ｃ）を引き出しとして使用するときは、引き手（１５ｂ、１５ｃ）を、箱型パーツ（６ｂ、６ｃ）から突出するように設定しつまみ易いようにする。
収納部（１２ａ）のように、箱型パーツ（６ａ）の上に枠型パーツ（９ａ）があって、箱型パーツ（６ａ）をスタンドタイプの収納空間の底として使用するときは、使用者がうっかり引き手（１５ａ）を引かないように、箱型パーツ（６ａ）の側面に接面させて、側面の一部のように平らに設定する。
以上のように、引き出しとして使わない箱型パーツ（６）の引き手（１５）に、指でつまめないように設定するので、ほとんど無意識に収納部（１２）の中の状態に合わせて本発明を使用することができる。【００３１】  また、第二実施形態は設定変更の際に入れ替えるパーツが小さいので、全体を大型化しても操作が楽である。図２３のように、キャスターを本体ケース（１）の下に付ければ、大きい物や重い物も、使い易く収納できて、移動させることもできるなど、利用範囲は広い。
以上の実施形態の例以外にも、収納具の用途によっては、仕切り板が無く空洞ひとつだけのものや、仕切り板１枚のもの、多数あるものなども作ることができる。
【図面の簡単な説明】
【００３２】
【図１】本発明の分解斜視図
【図２】本発明の短辺側から見た断面図
【図３】本発明の内部を透視した外観図
【図４】本発明の外観図
【図５】本発明の長辺側から見た断面図
【図６】本発明の長辺側から見た断面図
【図７】本発明の長辺側から見た断面図
【図８】本発明の長辺側から見た断面図
【図９】本発明の長辺側から見た断面図
【図１０】本発明の長辺側から見た断面図
【図１１】本発明の長辺側から見た一部を拡大した断面図
【図１２】本発明の長辺側から見た一部を拡大した断面図
【図１３】板状パーツの外観図
【図１４】本発明の第２実施形態の分解斜視図
【図１５】本発明の第２実施形態の内部を透視した外観図
【図１６】本発明の第２実施形態の外観図
【図１７】本発明の第２実施形態の長辺側から見た断面図
【図１８】本発明の第２実施形態の長辺側から見た断面図
【図１９】本発明の第２実施形態の長辺側から見た断面図
【図２０】本発明の第２実施形態の外観図
【図２１】箱型パーツの外観図
【図２２】本発明の第２実施形態の外観図
【図２３】本発明の第２実施形態の長辺側から見た断面図
【符号の説明】
【００３３】１  本体ケース
２  底板
３ａ；３ｂ；３ｃ；３ｄ  壁部板
４ａ；４ｂ  仕切り板
５ａ；５ｂ；５ｃ；５ｄ；５ｅ；５ｆ  側面開口部
６ａ；６ｂ；６ｃ  箱型パーツ
７  深枠型パーツ
８ａ；８ｂ；８ｃ  盆型パーツ
９ａ；９ｂ；９ｃ；９ｄ  枠型パーツ
１０ａ；１０ｂ；１０ｃ；１０ｄ；１０ｅ；１０ｆ；１０ｇ；１０ｈ；１０ｉ；１０ｊ；１０ｋ  スライダー
１１ａ；１１ｂ；１１ｃ；１１ｄ；１１ｅ；１１ｆ；１１ｇ；１１ｈ；１１ｉ；１１ｊ；１１ｋ  スライダー受け
１２ａ；１２ｂ；１２ｃ  収納部
１３  埃
１４  板状パーツ
１５ａ；１５ｂ；１５ｃ  引き手
１６  ハンドル
１７  キャスター
【図１】
2008307351.tif 000003
【図２】
2008307351.tif 000004
【図３】
2008307351.tif 000005
【図４】
2008307351.tif 000006
【図５】
2008307351.tif 000007
【図６】
2008307351.tif 000008
【図７】
2008307351.tif 000009
【図８】
2008307351.tif 000010
【図９】
2008307351.tif 000011
【図１０】
2008307351.tif 000012
【図１１】
2008307351.tif 000013
【図１２】
2008307351.tif 000014
【図１３】
2008307351.tif 000015
【図１４】
2008307351.tif 000016
【図１５】
2008307351.tif 000017
【図１６】
2008307351.tif 000018
【図１７】
2008307351.tif 000019
【図１８】
2008307351.tif 000020
【図１９】
2008307351.tif 000021
【図２０】
2008307351.tif 000022
【図２１】
2008307351.tif 000023
【図２２】
2008307351.tif 000024
【図２３】
2008307351.tif 000025